(57)【特許請求の範囲】
【請求項１】
モニタと共に用いられるデジタルテレビ信号デコーダであって、
テレビ信号を受信するように結合され、かつ、制御信号に応答するコンバータであって、第１の水平ライン周波数を有する受信したテレビ信号を該第１の水平ライン周波数とは異なる第２の水平ライン周波数を有する単一のビデオ画像に変換するコンバータと、
該モニタと互換性のある出力フォーマットを特定するように該デコーダの複数の出力フォーマットの中から選択し、該選択された出力フォーマットに応答して該制御信号を該コンバータに提供するセレクタであって、該複数の出力フォーマットは該第１の水平ライン周波数を有する少なくとも１つのフォーマットと該第２の水平ライン周波数を有する少なくとも１つのフォーマットとを含む、セレクタと、
該セレクタに結合されて、該セレクタを用いて行われる選択に応答して、該複数の出力フォーマットのうち該選択された出力フォーマットを視聴者に表示するディスプレイであって、該モニタから分離している、ディスプレイと
を備えるパネルを有する、デコーダ。
【請求項２】
前記セレクタが単一の選択制御を含み、該選択制御の連続するアクティブ化に応答して、前記複数の出力フォーマットを循環する、請求項１に記載のデコーダ。
【請求項３】
前記セレクタが、前記複数の出力フォーマットのうちの指定されたフォーマットの直接的選択を受け取るように構成されたセレクタを含む、請求項１に記載のデコーダ。
【請求項４】
前記セレクタのアクティブ化によって、前記デコーダが現在の出力フォーマットと、前記複数の出力フォーマットのうちのさらなる出力フォーマットとの間で切り替えられる、請求項１に記載のデコーダ。
【請求項５】
前記ディスプレイが、複数の発光ダイオード（ＬＥＤ）を含む、請求項１に記載のデコーダ。
【請求項６】
前記ディスプレイが、テキストおよびグラフィックスディスプレイのうちの１つである、請求項１に記載のデコーダ。
【請求項７】
前記ディスプレイが、液晶ディスプレイ、エレクトロルミネセンスディスプレイ、発光ダイオードディスプレイ、有機発光ダイオードディスプレイ、電界放出ディスプレイ、およびプラズマディスプレイからなる群から選択される、請求項６に記載のデコーダ。
【請求項８】
前記複数の出力フォーマットの各々が、インジケータを有する、請求項１に記載のデコーダ。
【請求項９】
前記セレクタが、複数のセレクタであり、該複数のセレクタのそれぞれが、前記インジケータの各々に結合されている、請求項８に記載のデコーダ。
【請求項１０】
前記ディスプレイが、ｉ）４８０インターレース、ｉｉ）４８０プログレッシブ、ｉｉｉ）７２０プログレッシブ、ｉｖ）１０８０インターレース、ｖ）ネイティブ、およびｖｉ）ハイブリッドからなる群から選択される、少なくとも２つの出力フォーマットを示す、請求項１に記載のデコーダ。
【請求項１１】
モニタと共に用いられるデジタルテレビ信号デコーダであって、
該デコーダの複数の出力フォーマットの中から選択するキーパッドであって、該複数の出力フォーマットは第１の水平ライン周波数を有する少なくとも１つのフォーマットと該第１の水平ライン周波数と異なる第２の水平ライン周波数を有する少なくとも１つのフォーマットとを含む、キーパッドと、
該キーパッドの出力に結合されているインターフェースであって、該キーパッドが複数の出力フォーマットの中から該モニタと互換性のある出力フォーマットを選択し、該キーパッドが該複数の出力フォーマットのうち該選択された出力フォーマットを示す出力信号を発生する、インターフェースと、
該インターフェースの出力に結合されて、該複数の出力フォーマットのうち該選択された出力フォーマットを示すディスプレイであって、該モニタから分離している、ディスプレイと、
該インターフェースに結合されて、該インターフェースから該出力信号を受信する映像プロセッサであって、該デジタルテレビ信号を処理して、該選択された出力フォーマットと互換性のある出力信号を生成する映像プロセッサと
を備え、
該出力フォーマットは、該デコーダが該モニタに結合される前に選択される、デコーダ。
【請求項１２】
前記キーパッドが、ワイヤレスリンクを用いて、前記インターフェースに結合されている、請求項１１に記載のデコーダ。
【請求項１３】
復号されたデジタルテレビ信号をモニタに提供する方法であって、
ａ）変換制御信号に応答して、第１の水平ライン周波数を有する該デジタルテレビ信号を該第１の水平ライン周波数とは異なる第２の水平ライン周波数を有する単一のビデオ画像に変換する工程と、
ｂ）該モニタと互換性のある出力フォーマットを特定するようにキーパッドを介してデコーダの複数の出力フォーマットの中から選択し、該選択された出力フォーマットに応答して該変換制御信号を該コンバータに提供する工程であって、該複数の出力フォーマットは該第１の水平ライン周波数を有する少なくとも１つのフォーマットと該第２の水平ライン周波数を有する少なくとも１つのフォーマットとを含む、工程と、
ｃ）該モニタから分離されたディスプレイを用いて、該選択された出力フォーマットを視聴者に表示する工程と、
ｄ）該出力フォーマットが該視聴者によって選択された後、該デコーダを該モニタに結合する工程と
を包含する、方法。
【請求項１４】
前記デコーダが少なくとも前記モニタに結合され、該モニタがアクティブになる前に、前記出力フォーマットが選択される、請求項１に記載のデコーダ。
【請求項１５】
前記セレクタが、ワイヤレスリンクを用いて、前記ディスプレイに結合される、請求項１４に記載のデコーダ。
【請求項１６】
前記ワイヤレスリンクが、光リンク、音響周波数、および無線周波数（ＲＦ）リンクのうちの１つである、請求項１５に記載のデコーダ。
【請求項１７】
前記光リンクが、赤外線（ＩＲ）リンクである、請求項１６に記載のデコーダ。
【請求項１８】
モニタと共に用いられるデジタルテレビ復号システムであって、
デコーダの複数の出力フォーマットの中から選択するキーパッドであって、該複数の出力フォーマットは第１の水平ライン周波数を有する少なくとも１つのフォーマットと該第１の水平ライン周波数と異なる第２の水平ライン周波数を有する少なくとも１つのフォーマットとを含む、キーパッドと、
ｉ)該キーパッドに結合されたインターフェースであって、該キーパッドが該複数の出力フォーマットの中から該モニタと互換性のある出力フォーマットを選択し、該キーパッドが該複数の出力フォーマットのうち該選択された出力フォーマットを示す出力信号を発生する、インターフェースと、ｉｉ)該インターフェースに結合されて、該インターフェースから該出力信号を受信する映像プロセッサであって、該デジタルテレビ信号を処理することにより該選択された出力フォーマットに従って出力信号を生成する映像プロセッサとを含むデコーダと、
該モニタから分離しており、該インターフェースの出力に結合されて、該複数の出力フォーマットのうち該選択された出力フォーマットを示すディスプレイと
を備えた、システム。
【請求項１９】
前記キーパッドおよび前記ディスプレイのうちの少なくとも１つが、ワイヤレスリンクによって前記インターフェースに結合されている、請求項１８に記載のシステム。
【発明の詳細な説明】
【０００１】
【発明の属する技術分野】
本発明は、デジタルテレビデコーダに関する。より具体的には、本発明は、デコーダをモニタに接続することなしに視聴され得る、デジタルテレビデコーダの出力フォーマットの視覚的表示を提供する装置に関する。
【０００２】
【従来の技術】
米国において、高品位テレビシステム委員会（ＡＴＳＣ）規格が、高精細度テレビ（ＨＤＴＶ）信号のデジタル符号化を規定している。この規格の一部は、国際標準化機構（ＩＳＯ）の動画専門家グループ（ＭＰＥＧ）が提案したＭＰＥＧ−２規格と基本的に同じである。この規格は、国際規格（ＩＳ）刊行物「Ｉｎｆｏｒｍａｔｉｏｎ  Ｔｅｃｈｎｏｌｏｇｙ  −  Ｇｅｎｅｒｉｃ  Ｃｏｄｉｎｇｏｆ  Ｍｏｖｉｎｇ  Ｐｉｃｔｕｒｅｓ  ａｎｄ  Ａｓｓｏｃｉａｔｅｄ  Ａｕｄｉｏ，  Ｒｅｃｏｍｍｅｎｄａｔｉｏｎ  Ｈ．６２６」、ＩＳＯ／ＩＥＣ  １３８１８−２、ＩＳ、１１／９４に説明されている。この刊行物は、ＩＳＯから提供され、ＭＰＥＧ−２デジタル映像符号化規格についての教示内容が本明細書中で参考として援用される。デジタル衛星放送およびデジタルケーブルシステムも、ＭＰＥＧ符号化、ＭＰＥＧ１およびＭＰＥＧ−２の両方を用いる。これらの符号化方法は、例として提示されるが、複数表示フォーマットを支持する任意の映像コード化方法によって本発明が実施され得ることが考慮される。
【０００３】
ＭＰＥＧ規格の各々は、実際には、いくつかの異なる規格である。例えば、ＭＰＥＧ−２において、いくつかの異なるプロフィールが規定され、各々が、符号化されたイメージの異なるレベルの複雑度に対応する。各プロフィールについて、異なるレベルが規定され、各レベルは異なるイメージ解像度に対応する。メインプロフィール、メインレベルとして公知である、ＭＰＥＧ−２規格の１つは、現行のテレビ規格（すなわち、ＮＴＳＣおよびＰＡＬ）に適合する映像信号のコード化用である。メインプロフィール、ハイレベルとして公知である、他の規格は、高精細度テレビイメージのコード化用である。メインプロフィール、ハイレベルに従って符号化されたイメージは、イメージフレームごとに１，１５２本ものアクティブライン、ラインごとに１，９２０個ものピクセルを有し得る。
【０００４】
他方、メインプロフィール、メインレベル規格は、ラインごとに７２０個のピクセル、フレームごとに５６７本のラインの最大画像サイズを規定する。１秒につき３０フレームのフレーム速度では、この規格に従って符号化される信号は、１秒につき７０２＊５６７＊３０、または１２，２４７，２００のデータ速度を有する。対照的に、メインプロフィール、ハイレベル規格に従って符号化されたイメージは、１秒につき１，１５２＊１，９２０＊３０または６６，３３５，２００ピクセルの最高データ速度を有する。このデータ速度は、メインプロフィール、メインレベル規格に従って符号化されたイメージデータのデータ速度の５倍の速度より速い。米国において、符号化されているＨＤＴＶ用規格は、この規格の一部であり、フレームごとに１，０８０本ものライン、ラインごとに１，９２０個ものピクセル、および、このフレームサイズにつき、１秒につき３０フレームの最高フレーム速度を有する。この規格の最高データ速度は、メインプロフィール、メインレベル規格の最高データ速度よりも、依然、より速い。
【０００５】
ＭＰＥＧ規格は、データおよび制御情報の組合せを含む複合シンタックスを規定する。この制御情報の一部が用いられて、いくつかの異なるフォーマットを有する信号が規格によってカバーされることを可能にする。これらのフォーマットは、ラインごとに異なる数の映像素子（ピクセル）と、フレームまたはフィールドごとに異なる数のラインと、秒ごとに異なる数のフレームまたはフィールドとを有する映像を規定する。さらに、ＭＰＥＧメインプロフィールの基本的なシンタックスは、５つの層のイメージのシーケンスで表される圧縮されたＭＰＥＧビットストリームを規定する。５つの層は、シーケンス層、画像グループ層、画像層、スライス層、およびマクロブロック層である。これらの層の各々は、制御情報によって導入される。最終的に、追加情報としても公知である、他の制御情報（例えば、フレームタイプ、マクロブロックパターン、イメージ運動ベクトル、係数ジグザグパターン、および逆量子化情報）は、符号化されたビットストリームに点在する。
【０００６】
符号化された高解像度メインプロフィール、ハイレベル画像の、より低い解像度のメインプロフィール、ハイレベル画像、メインプロフィール、メインレベル画像、または他のより低い解像度の画像フォーマットへのフォーマット変換は、ａ）複数の現行の映像フォーマットと共に用いる単一のデコーダを提供するため、ｂ）メインプロフィール、ハイレベル信号とパーソナルコンピュータモニタもしくは現行の消費者テレビ受信器との間のインターフェースを提供するため、ならびに、ｃ）ＨＤＴＶの実現コストを低減するため、重要度が増している。例えば、変換によって、メインプロフィール、ハイレベル符号化画像と共に用いられる、高価な高解像度モニタを、例えば、ＮＴＳＣまたは５２５プログレッシブモニタのようなメインプロフィール、メインレベル符号化画像を支持する、画像解像度がより低い、安価な現行のモニタと取り替えることが可能になる。１つの局面において、下方変換（ＤＣ）は、より低い解像度のモニタで表示するために、高解像度入力画像をより低い解像度の画像に変換する。
【０００７】
効率的にデジタルイメージを受信するために、デコーダは映像信号情報を素早く処理する必要がある。最大限に効率的にするために、復号システムは、比較的安価であり、且つこれらのデジタル信号をリアルタイムで復号するために十分な出力を有する必要がある。結果として、複数の低解像度フォーマットへの変換を支持するデコーダは、プロセッサメモリを最小化する必要がある。
【０００８】
１９９８年３月１１日に出願された、同時係属出願中の０９／１８０，２４３の開示内容は、デジタルテレビデコーダについての教示内容が本明細書中で参考として援用される。
【０００９】
【発明が解決しようとする課題】
現在、いくつかの映像モニタまたはテレビ受信器は、デジタルテレビデコーダの様々な出力フォーマットの全てを処理する能力がない。従って、互換性のない信号がモニタまたはテレビに提供される場合、映像モニタまたはテレビ受信器は損傷を受け得る。従来のデジタルデコーダにおいて、デジタルデコーダによる信号出力のタイプを表示することは、デジタルテレビデコーダによってモニタまたはテレビの画面上に表示することによってしか判定され得なかった。しかし、この画面上表示（ＯＳＤ）は、デコーダ出力がモニタにとって適切でない場合、問題を起こし、出力信号フォーマットを変化し得る前にモニタに損傷を与え得る。
【００１０】
従来のデジタルテレビデコーダの前述の問題点を解決するために、デコーダがモニタに接続される前に、またはモニタがアクティブになる前に、デジタルデコーダの出力モードを表示して、出力フォーマットのＯＳＤの必要をなくすことが所望される。
【００１１】
【課題を解決するための手段】
本発明は、複数の異なるフォーマットで符号化された映像信号を受信および復号するデジタルテレビデコーダにおいて実現される。デジタル映像デコーダは、デコーダの複数の出力フォーマットから視聴者が選択するためのセレクタを有するパネルを含む。パネルは、また、視聴者の選択に応答して、複数の出力フォーマットのうちの選択されたフォーマットを視聴者に表示するセレクタに結合されたディスプレイを有する。デコーダがモニタに結合されるか、またはモニタがアクティブになる前に、視聴者はデジタル映像デコーダの出力フォーマットを選択する。
【００１２】
本発明の１つの局面によると、セレクタは、デジタル映像デコーダの様々な出力フォーマットの間を循環する。
【００１３】
本発明の他の局面によると、ディスプレイは、複数の発光ダイオードである。
【００１４】
本発明のさらに他の局面によると、ディスプレイは、テキストまたはグラフィックディスプレイである。
【００１５】
本発明のさらなる局面によると、デコーダの複数の出力フォーマットの各々は、それぞれのインジケータを有する。
【００１６】
本発明の他の局面によると、セレクタは、ワイヤレスリンクによってデコーダに結合されている。
【００１７】
本発明のさらなる局面によると、ディスプレイは、ワイヤレスリンクによってデコーダに結合されている。
【００１８】
本発明によれば、モニタと共に用いられるデジタルテレビ信号デコーダであって、該デコーダの複数の出力フォーマットの中から選択するセレクタと、該セレクタに結合されて、該セレクタを用いて行われる選択に応答して、該複数の出力フォーマットのうちの選択されたフォーマットを視聴者に表示するディスプレイであって、該モニタから分離している、ディスプレイと、を備えるパネルを有する、デコーダが提供され、そのことにより上記目的が達成される。
【００１９】
前記セレクタが単一の選択制御を含み、該選択制御の連続するアクティブ化に応答して、前記複数の出力フォーマットを循環してもよい。
【００２０】
前記セレクタが、前記複数の出力フォーマットのうちの指定されたフォーマットの直接的選択を受け取るように構成されたセレクタを含んでもよい。
【００２１】
前記セレクタのアクティブ化によって、前記デコーダが現在の出力フォーマットと、前記複数の出力フォーマットのうちのさらなる出力フォーマットとの間で切り替えられてもよい。
【００２２】
前記ディスプレイが、複数の発光ダイオード（ＬＥＤ）を含んでもよい。
【００２３】
前記ディスプレイが、テキストおよびグラフィックスディスプレイのうちの１つであってもよい。
【００２４】
前記ディスプレイが、液晶ディスプレイ、エレクトロルミネセンスディスプレイ、発光ダイオードディスプレイ、有機発光ダイオードディスプレイ、電界放出ディスプレイ、およびプラズマディスプレイからなる群から選択されてもよい。
【００２５】
前記複数の出力フォーマットの各々が、インジケータを有してもよい。
【００２６】
前記セレクタが、複数のセレクタであり、該複数のセレクタのそれぞれが、前記インジケータの各々に結合されてもよい。
【００２７】
前記ディスプレイが、ｉ）４８０インターレース、ｉｉ）４８０プログレッシブ、ｉｉｉ）７２０プログレッシブ、ｉｖ）１０８０インターレース、ｖ）ネイティブ、およびｖｉ）ハイブリッドからなる群から選択される、少なくとも１つの出力フォーマットを示してもよい。
【００２８】
本発明によれば、モニタと共に用いられるデジタルテレビ信号デコーダであって、該デコーダの複数の出力フォーマットの中から選択するキーパッドと、該キーパッドの出力に結合されているインターフェースであって、該キーパッドが該複数の出力フォーマットのうちの選択されたフォーマットを示す出力信号を発生する、インターフェースと、該インターフェースの出力に結合されて、該複数の出力フォーマットのうちの該選択されたフォーマットを示すディスプレイであって、該モニタから分離している、ディスプレイと、該インターフェースに結合されて、該インターフェースから該出力信号を受信する映像プロセッサであって、該デジタルテレビ信号を処理して、該選択された出力フォーマットとコンパチブルな出力信号を生成する映像プロセッサと、を備え、該出力フォーマットは、該デコーダが該モニタに結合される前に選択される、デコーダが提供され、そのことにより上記目的が達成される。
【００２９】
前記キーパッドが、ワイヤレスリンクを用いて、前記インターフェースに結合されてもよい。
【００３０】
本発明によれば、復号されたデジタルテレビ信号をモニタに提供する方法であって、ａ）キーパッドを介して、デコーダの複数の出力フォーマットの中から選択する工程と、ｂ）該複数の出力フォーマットのうちの選択されたフォーマットを視聴者に表示する工程であって、該表示は、該選択するステップによって行われる選択に応答する、工程と、ｃ）該出力フォーマットが該視聴者によって選択された後、該デコーダを該モニタに結合する工程と、を包含する、方法が提供され、そのことにより上記目的が達成される。
【００３１】
ｄ）前記選択された出力フォーマットに従って、前記テレビ信号を復号する工程と、ｅ）復号された該テレビ信号をモニタ上に表示する工程と、をさらに包含してもよい。
【００３２】
本発明によれば、モニタと共に用いられるデジタルテレビ信号デコーダであって、該デコーダの複数の出力フォーマットの中から選択するセレクタと、該セレクタに結合されて、該モニタから分離しており、該セレクタを用いて行われる選択に応答して、該複数の出力フォーマットのうちの選択されたフォーマットを視聴者に表示するディスプレイと、を備え、少なくとも１つの該モニタに該デコーダが結合され、該モニタがアクティブになる前に、該出力フォーマットが選択される、デコーダが提供され、そのことにより上記目的が達成される。
【００３３】
前記セレクタが、ワイヤレスリンクを用いて、前記インジケータに結合されてもよい。
【００３４】
前記ワイヤレスリンクが、光リンク、音響周波数、および無線周波数（ＲＦ）リンクのうちの１つであってもよい。
【００３５】
前記光リンクが、赤外線（ＩＲ）リンクであってもよい。
【００３６】
本発明によれば、モニタと共に用いられるデジタルテレビ復号システムであって、デコーダの複数の出力フォーマットの中から選択するキーパッドと、デコーダと、該モニタから分離しており、該インターフェースの出力に結合されて、該複数の出力フォーマットのうちの選択されたフォーマットを示すディスプレイと、を備え、該デコーダが、ｉ）該キーパッドに結合されたインターフェースであって、該キーパッドが該複数の出力フォーマットのうちの選択されたフォーマットを示す出力信号を発生する、インターフェースと、ｉｉ）該インターフェースに結合されて、該インターフェースから該出力信号を受信する映像プロセッサであって、該デジタルテレビ信号を処理して、該選択された出力フォーマットに従って、出力信号を生成する、映像プロセッサと、を含む、システムが提供され、そのことにより上記目的が達成される。
【００３７】
前記キーパッドおよび前記インジケータのうちの少なくとも１つが、ワイヤレスリンクによって前記インターフェースに結合されてもよい。
【００３８】
【発明の実施の形態】
添付の図面を参照しながら、以下の詳細な説明を考慮することにより、本発明がより良く理解される。図面には、以下に説明する図が含まれている。
【００３９】
本発明のデジタルテレビ信号デコーダは、複数の異なるフォーマットを支持し、デコーダがテレビ接続される前か、またはテレビがアクティブになる前に、選択されたフォーマットを表示するように設計される。
【００４０】
図１に、本発明の第１の例示的な実施形態による、デジタルデコーダのパネル構成１００を示す。図１において、パネル１００は、電源コントロール１０２、出力セレクタ１０４、およびモードディスプレイ１０６を含む。出力インジケータ１０６は、デジタルデコーダの様々な出力フォーマットの各々について、個別のインジケータ１０８、１１０、１１２、１１４、１１６、および１１８を含み得る。
【００４１】
図１の例示的な実施形態において、デジタルデコーダは、ネイティブ出力信号（インジケータ１０８によって示される）、ハイブリッド出力信号（インジケータ１１０によって示される）、１０８０ラインインターレース出力信号（インジケータ１１２によって示される）、７２０ラインプログレッシブ出力信号（インジケータ１１４によって示される）、４８０ラインプログレッシブ出力信号（インジケータ１１６によって示される）、および４８０ラインインターレース出力信号（インジケータ１１８によって示される）を提供する。
【００４２】
図５を参照すると、デジタルデコーダの所望の出力モードを選択する例示的なプロセスを概略的に表すフローチャートが示されている。工程５００で、例えば、電源スイッチ１０２によってデジタルデコーダがアクティブになる。デジタルデコーダを、視聴者が受け取った後初めてアクティブにする場合、または、初期的な出荷時のパラメータにリセットする場合、表示インジケータのうちの１つが点灯して、どの出力モードがアクティブなのか視聴者に知らせる。工程５０２で、視聴者は、デコーダに接続されるモニタのタイプを判定する。工程５０４で、デコーダの現在の出力モードが、デコーダが接続されるテレビまたはモニタとコンパチブルであるかどうか、視聴者が判定する。出力フォーマットがコンパチブルでない場合、工程５０６で、視聴者は、セレクタ１０４を通じて出力モードを変化させ得る。セレクタ１０４をアクティブにすることによって、所定のシーケンスにより、現在の出力モードが他の出力モードに変化する。その後、工程５０４が繰り返される。セレクタ１０４の繰り返しのアクティブ化は、全ての利用可能な出力モードを通じてデコーダを循環する（ｃｙｃｌｅ）。テレビまたはモニタとコンパチブルな出力モードを視聴者が選択した後、デコーダは、非アクティブにされる。その後、工程５０８で、視聴者は、デコーダをテレビまたはモニタに接続する。
【００４３】
図５の例示的なフローチャートにおいて、誤った周波数での垂直および水平同期信号の受信によってモニタが損傷を受けないことを確実にするように、コンパチブルな出力フォーマットが設定された後、モニタが接続される。殆どのモニタは、受信した入力信号に適合するように、水平同期信号の周波数を調整する位相固定ループを含む。これらの水平同期信号は、また、テレビモニタにおいて高電圧を発生させるために用いられる。モニタは、誤った周波数で水平同期信号を受信する場合、モニタとコンパチブルでない高電圧信号を発生し得る。殆ど全ての最先端のモニタは、このタイプの損傷が起きることを防ぐ回路部を含むが、ある特定のより古いモニタは、出力モードが設定されるまでデコーダから切り離される必要を有し得る。保護回路部を含むモニタは、出力モードが選択される間、デコーダに接続され得る。
【００４４】
選択された最後の出力モードは、不揮発性またはバッテリーバックアップメモリに格納されるので、デジタルテレビデコーダの再アクティブ化の際に、上記の手順を繰り返す必要がない。あるいは、出力モード選択手順の間にモニタがアクティブにされない場合、コンパチブルな出力モードを選択する前に、視聴者は、デコーダをモニタに接続し得る。
【００４５】
再度図１を参照すると、セレクタ１０４が、各インジケータ１０８、１１０、１１２、１１４、１１６および１１８の一部として組み込まれる、個別のセレクタと置き換えられことも考慮される。このようにして、所望の出力モードが、様々な出力モードを通じて循環することを必要とせず、視聴者によって直接選択され得る。
【００４６】
図２は、本発明の第１の例示的な実施形態による、デジタルデコーダのブロック図である。図２において、出力セレクタ１０４は、インターフェース２０２に接続されている。インターフェース２０２は、順に映像処理回路２０４およびモードディスプレイ１０６に接続されている。インターフェース２０２は、いつ視聴者が出力セレクタ１０４をアクティブにするのかを判定し、デジタルテレビデコーダの出力モードを変化させるように、信号２１０を映像処理回路２０４に提供する。デジタル入力信号２０６は、その後、選択されたモードに従って、映像処理回路２０４によって処理され、信号２０８として出力される。インターフェース２０２は、また、視聴者への選択された出力モードの視覚的表示を提供するように、信号２１２をモードディスプレイ１０６に提供する。
【００４７】
ネイティブモードにおいて、デジタル入力信号２０６は、映像処理回路２０４を通過して、下方変換なしで、出力信号２０８になる。ハイブリッドモードにおいて、１０８０インターレースより下の任意のモード（すなわち、４８０Ｉ、４８０Ｐ、および７２０Ｐ）に対応するデジタル入力信号は、映像処理回路２０４を通過して、下方変換なしで、出力信号２０８になる。このモードにおいて、１０８０Ｉデジタル入力信号は、４８０Ｉ、４８０Ｐ、または７２０Ｐ出力モードのうちの１つに下方変換される。全ての他のモード（４８０Ｐ、４８０Ｉ、および７２０Ｐ）において、デジタル入力信号２０６は、選択されたモードに適合するように下方変換される。
【００４８】
本発明は、ネイティブモードまたはハイブリッドモードモニタと共にデコーダが用いられる場合に利点を有する。例えば、映像信号が４８０Ｉ信号として受信される場合、これらのモニタは、デフォルトによって、４８０Ｉフォーマットで信号を表示する。しかし、いくつかの他のフォーマット、例えば、４８０Ｐで信号を視聴することを視聴者が望む場合があり得る。ネイティブモードまたはハイブリッドモードモニタと共に用いられる場合、本発明は、デコーダによって提供される映像信号の出力フォーマットを視聴者が指定し、そのフォーマットをデコーダの前面パネルに表示することを可能にする。これによって、デコーダが新たなフォーマットで映像情報を提供し得るようになるかなり前に、フォーマット変化が起きたことを、視聴者は知ることができる。
【００４９】
図３は、本発明による、第２の例示的な実施形態のデジタルテレビデコーダパネル３００の図である。図３において、モードディスプレイ１０６は、テキストまたはグラフィックベースディスプレイ３０２に置き換えられている。ディスプレイ３０２は、例えば、液晶ディスプレイ、エレクトロルミネセンスディスプレイ、電界放射ディスプレイ、プラズマディスプレイ、発光ダイオードディスプレイ、有機発光ダイオード（ＯＬＥＤ）ディスプレイ、または、テキストおよび／またはグラフィックスを視聴者に提示するように構成され得る他のディスプレイ機器であり得る。他の全ての局面において、第２の例示的な実施形態は、第１の例示的な実施形態と同じである。ディスプレイ３０２が、視聴者が関心を持つ他の情報との組合せで、デコーダの出力モードを提供する、単一ラインまたは複数ラインディスプレイであり得ることが考慮される。出力モードは、視聴者の要望に依存して、常に表示されてもよいし、選択的に表示されてもよいし、周期的に表示されてもよい。
【００５０】
図４は、本発明の他の例示的な実施形態による、デジタルデコーダ４００のブロック図である。図４において、セレクタ４０２は、ワイヤレスリンク４１８を通じて、インターフェース４０４に結合される。第１の例示的な実施形態と同様に、セレクタ４０２は、様々な出力モードを視聴者が循環する単一のセレクタであってもよいし、視聴者が所望の出力モードを「直接」選択し得る、様々な出力モードの各々についての専用セレクタであってもよい。
【００５１】
出力モードディスプレイは、第１の例示的な実施形態（図４に、ディスプレイ４０６として示す）と同様に、デジタルテレビデコーダのパネル上にあってもよいし、かつ／または、リモコン４１６においてセレクタ４０２と共に配列されてもよい。後者の構成において、モードディスプレイ４１４は、ワイヤレスリンク４２０を用いて、インターフェース４０４に結合されている。ワイヤレスリンク４１８および４２０は、別個の単方向性リンクであってもよいし、１つの双方向性リンクであってもよい。ワイヤレスリンクは、赤外線（ＩＲ）、音響（ａｕｄｉｏ）周波数（例えば、超音波）、または無線周波数（ＲＦ）ベースリンクであり得ることが考慮される。ワイヤレスリンク４２０が消去され得ることも、考慮される。この代替的な実施形態において、リモコン４１６は、選択されたモードをインターフェース４０４に示す信号を送信し、視聴者の選択に応答して、インターフェース４０４からの確認を受けることなく、モードディスプレイを変更し得る。記載したリモコン機器４１６は、他のタイプの音響−映像機器と同様の様態で、視聴者が、デコーダの出力フォーマットを容易に変更するか、または設定することを可能にする。
【００５２】
複数の異なるタイプのモニタと共に用いられるデジタルテレビ信号デコーダは、デコーダの様々な出力フォーマットの中から視聴者が選択することを可能にするセレクタを含む制御パネルを有する。デコーダパネルの上の表示は、セレクタに結合されて、選択された出力フォーマットを表示する。視聴者は、デコーダをモニタに接続する前に、デコーダの出力フォーマットを選択する。制御パネルは、デコーダ自体にあってもよいし、リモコン機器にあってもよい。
【００５３】
本発明は、特定の実施形態を参照しながら説明されてきたが、これらに限定されるものではない。従って、特許請求の範囲は、具体的に上述された本発明の形式および実施形態のみだけではなく、特許請求の範囲に記載の範囲から逸脱することなく当業者によって為され得る形式および実施形態をも含むように構成されるべきである。
【００５４】
【発明の効果】
本発明では、デコーダがモニタに接続される前に、またはモニタがアクティブになる前に、デジタルデコーダの出力モードを表示するため、出力フォーマットのＯＳＤの必要がない。
【００５５】
従って、本発明は、複数の異なるフォーマットで符号化された映像信号を受信および復号するデジタルテレビデコーダにおいて実現される。デジタル映像デコーダは、デコーダの複数の出力フォーマットから視聴者が選択するためのセレクタを有するパネルを含む。パネルは、また、視聴者の選択に応答して、複数の出力フォーマットのうちの選択されたフォーマットを視聴者に表示するセレクタに結合されたディスプレイを有する。デコーダがモニタに結合されるか、またはモニタがアクティブになる前に、視聴者はデジタル映像デコーダの出力フォーマットを選択する。
【図面の簡単な説明】
【図１】本発明の第１の例示的な実施形態による、デコーダの前面パネル構成の図
【図２】図１に示すデコーダのブロック図
【図３】本発明の第２の例示的な実施形態による、デコーダの前面パネル構成の図
【図４】本発明の第３の例示的な実施形態による、ブロック図
【図５】本発明による、例示的な方法のフローチャートの図
【符号の説明】
１００  パネル
１０６  モードディスプレイ
【図１】
0003560557.tif 000002
【図２】
0003560557.tif 000003
【図３】
0003560557.tif 000004
【図４】
0003560557.tif 000005
【図５】
0003560557.tif 000006